(57)【要約】      （修正有）【課題】複数の映像ソース及びモニタと共に用いられる映像監視システムを提供する。【解決手段】システムは、映像ソース及びモニタと通信する映像監視制御装置と、映像監視制御装置を制御してモニタに表示信号を出力し、それによりモニタにユーザインタフェースを表示するために、映像監視制御装置において操作される映像監視制御プログラムとを含んでいる。映像監視制御装置には、ユーザが各々の要求に従ってユーザインタフェースを編集できるように、ユーザインタフェースエディタが備えられる。【選択図】図３
2007104630.tif 000002
【特許請求の範囲】
【請求項１】
複数の映像ソース及びモニタと共に用いられるように適合された映像監視システムであって、
前記複数の映像ソース及び前記モニタと通信する映像監視制御装置と、
前記映像監視制御装置を制御して前記モニタに表示信号を出力し、それにより前記モニタにユーザインタフェースを表示するために、前記映像監視制御装置において操作される映像監視制御プログラムと、
前記モニタに表示された前記ユーザインタフェースをユーザが編集できるように、前記映像監視制御装置において操作されるユーザインタフェースエディタとを備えたことを特徴とする映像監視システム。
【請求項２】
前記複数の映像ソースは複数の監視カメラであることを特徴とする請求項１に記載の映像監視システム。
【請求項３】
前記映像監視制御装置はデジタル映像記録監視制御装置であることを特徴とする請求項１に記載の映像監視システム。
【請求項４】
前記モニタに表示される前記ユーザインタフェースはグラフィカルユーザインタフェースであることを特徴とする請求項１に記載の映像監視システム。
【請求項５】
前記ユーザインタフェースエディタは、
前記ユーザがメニューから所望のパネルを選択できるように該メニューを提供するステップと、
前記ユーザインタフェースに現在ロードされているコントロールオブジェクトを削除するステップと、
ウィンドウを開き、該ウィンドウの領域を調整するステップと、
特定スキンの構成ファイルに記憶された情報をロードし、該情報に応じて前記ユーザインタフェースにおいて各コントロールオブジェクトを表示するステップとによって、前記ユーザが前記ユーザインタフェースを編集できるようにすることを特徴とする請求項１に記載の映像監視システム。
【請求項６】
前記特定スキンの構成ファイルに記憶された前記情報は、前記ウィンドウのサイズ、前記ウィンドウによって使用される画像ファイル、前記コントロールオブジェクトの総量、及び前記コントロールオブジェクトの各々の位置、サイズ及びアイコンを含むことを特徴とする請求項５に記載の映像監視システム。
【請求項７】
前記ユーザインタフェースエディタは前記映像監視制御プログラムに組み込まれることを特徴とする請求項１に記載の映像監視システム。
【発明の詳細な説明】
【技術分野】
【０００１】
本発明は映像監視システムに関するものであり、特に、複数の監視カメラ及びモニタと共に用いられるデジタル映像記録監視システムに関する。
【背景技術】
【０００２】
図１は、広く利用されているデジタル映像記録監視システム（ＤＶＲ）を示した機能ブロック図である。当該システムは、複数のビデオカメラ１０１，１０２・・・１０ｎと、コントロールボックス１１と、モニタ１２とを含んでいる。複数のビデオカメラ１０１，１０２・・・１０ｎは、ｎ個の映像信号を更なる処理のためにコントロールボックス１１に出力する。その後、映像出力信号が生成され、モニタ１２に送られて表示される。
【０００３】
監視システムの操作を容易にするため、システムによって実行されるアプリケーションプログラムにより、図２に示されるようなグラフィカルユーザインタフェースがモニタ１２上に提供される。それにより、ユーザは、便利な方法で監視システムを操作及び制御することができる。
【発明の開示】
【発明が解決しようとする課題】
【０００４】
しかしながら、モニタ１２の表示領域は限られているため、全ての要求に応じることは非常に困難である。監視システムのユーザインタフェース全体が示されたモニタ１２の表示領域をｎ個のビデオカメラ全てにより出力された映像信号が共有していると、混み合って見えるのは避けられない。さらに、従来のアプリケーションプログラムのユーザインタフェースはレイアウトが決まっており、いったんシステム全体が販売可能な状態になると、編集はできない。従って、様々な操作状況に対応するため、考えられる全ての制御機能キー及びプルダウンメニューがあらかじめユーザインタフェースに組み込まれている。その結果、ユーザインタフェースはより混み合った複雑なものに見え、ユーザにとって非常に使い難い。そのため、使い勝手の良いユーザインタフェースが依然として求められている。
【課題を解決するための手段】
【０００５】
本発明は、複数の映像ソース及びモニタと共に用いられるように適合された映像監視システムを提供する。本システムは、複数の映像ソース及びモニタと通信する映像監視制御装置と、映像監視制御装置を制御してモニタに表示信号を出力し、それによりモニタにユーザインタフェースを表示するために、映像監視制御装置において操作される映像監視制御プログラムとを含んでいる。ユーザが独自にユーザインタフェースを編集できるようにするため、映像監視制御装置において操作されるユーザインタフェースエディタが備えられている。
【０００６】
一実施形態においては、複数の映像ソースは複数の監視カメラである。
【０００７】
一実施形態においては、映像監視制御装置はデジタル映像記録監視制御装置である。
【０００８】
一実施形態においては、モニタに表示されるユーザインタフェースはグラフィカルユーザインタフェースである。
【０００９】
一実施形態においては、ユーザインタフェースエディタは、ユーザがメニューから所望のパネルを選択できるように該メニューを提供するステップと、ユーザインタフェースに現在ロードされているコントロールオブジェクトを削除するステップと、ウィンドウを開き、該ウィンドウの領域を調整するステップと、特定スキンの構成ファイルに記憶された情報をロードし、該情報に応じてユーザインタフェースにおいて各コントロールオブジェクトを表示するステップとによって、ユーザがユーザインタフェースを編集できるようにする。
【００１０】
一実施形態においては、特定スキンの構成ファイルに記憶された情報は、ウィンドウのサイズ、ウィンドウによって使用される画像ファイル、コントロールオブジェクトの総量、及びコントロールオブジェクトの各々の位置、サイズ及びアイコンを含む。
【００１１】
一実施形態においては、ユーザインタフェースエディタは映像監視制御プログラムに組み込まれる。
【発明を実施するための最良の形態】
【００１２】
本発明の上述の目的及び利点は、以下の詳細な説明及び添付図面を検討頂ければ、当業者にはより容易に理解されるであろう。
【００１３】
図３は本発明の一実施形態による映像監視システムを示した機能ブロック図である。映像監視システム３１は、複数の映像ソース３０１，３０２・・・３０ｎ、例えば監視カメラ、及びモニタ３２と共に用いられるように適合された映像監視制御装置３３を含む。映像監視制御装置３３において、映像監視制御プログラム３３０及びユーザインタフェースエディタ３３１が操作される。本実施形態においては、映像監視制御装置３３はデジタル映像記録監視システム（ＤＶＲ）のコントロールボックスで実現され、映像監視制御プログラム３３０はユーザがデジタル映像記録監視システムを制御するためのアプリケーションプログラムである。ユーザが本システムを容易に操作できるようにするため、映像監視制御プログラム３３０は、映像監視制御装置３３を制御してモニタ３２に表示信号を出力し、モニタ３２上にユーザインタフェース３２１、好ましくはグラフィカルユーザインタフェース、を表示する。しかしながら、各ユーザの要望やアプリケーション環境は様々であるため、各コントロールオブジェクトを同じレイアウトで示したのでは、全てのユーザを満足させられるとは限らない。従って、本発明は映像監視制御装置３３において操作されるユーザインタフェースエディタ３３１を提供する。ユーザインタフェースエディタ３３１は、ユーザが、モニタ３２上に示されたユーザインタフェース３２１を編集して、ユーザインタフェース３２１における制御機能キーやプルダウンメニューといったコントロールオブジェクトを変更したり、不要なコントロールオブジェクトを削除したり、各オブジェクトのレイアウトを変更したりできるようにする。従って、ユーザは、各々の操作環境に応じて、制御機能キーやプルダウンメニューを変更したり、各オブジェクトのレイアウトを変更したりでき、それにより、ユーザインタフェース３２１を各々の要求に適ったものに改善することができる。より有効なアプリケーションプログラムを提供するために、ユーザインタフェースエディタ３３１を映像監視制御プログラム３３０に組み込むこともできる。
【００１４】
本発明のユーザインタフェースエディタ３３１の設計においては、いくつかの重要な事項が考慮される。第一に、種々のユーザインタフェース３２１のスキンをそれぞれ異なるディレクトリに記憶することができ、各スキンはユーザインタフェース情報を記録するための対応する構成ファイルを有する。さらに、再生制御、記録制御、設定制御等のコントロールオブジェクトごとに一意のＩＤが必要とされる。
【００１５】
上述した設計事項に従って、ユーザインタフェースエディタ３３１は、図４のフローチャートに示されたステップにより、ユーザがユーザインタフェース３２１を編集できるようにする。まず、ユーザインタフェースエディタ３３１は、モニタ３２上にメニュー（つまりパネルセレクタ）を提供する。ユーザはメニューから所望のパネルを選択することができる。ユーザが選択すると、ユーザインタフェースに現在ロードされているコントロールオブジェクトがクリアされ、新しいスキンの構成ファイルに記憶された情報をロードできる状態になる。この情報には、ウィンドウのサイズ、ウィンドウによって使用される画像ファイル、各種コントロールオブジェクトの総量、及び各コントロールオブジェクトの位置、サイズ及びアイコンが含まれる。次に、ユーザインタフェースエディタ３３１は、ウィンドウを開き、ウィンドウのサイズを決め、使用される画像ファイルをロードし、使用される画像ファイル又はアイコンをウィンドウにペーストする。次のステップは、各種コントロールオブジェクトの属性の特定である。属性には、ウィンドウにおける各コントロールオブジェクトの相対位置、各コントロールオブジェクトのサイズ、及び各コントロールオブジェクトを識別するためのＩＤ値が含まれる。コントロールオブジェクトの操作状態に応じて画像を変えるために、関連する画像又はアイコンがメモリにロードされる。例えば、クリックされているコントロールオブジェクトとクリックされていないコントロールオブジェクトとは、異なる画像又はアイコンで表されることが多く、様々な操作状態に対応するファイルがあらかじめメモリにロードされる。次に、マウスやキーボードから入力された信号が処理される。ウィンドウにおける各コントロールオブジェクトの相対位置及びサイズに基づいて、どのコントロールオブジェクトが選択されているかを判断することができる。各コントロールオブジェクトには一意のＩＤがあるため、プログラムはＩＤによって特定の機能を実行できる。例えば、ＩＤ＿ｐｌａｙという名称のＩＤは再生コントロールオブジェクトに割り当てられる。プログラムは、再生コントロールオブジェクトが選択されたと認識すると、再生機能を実行する。
【００１６】
上述の説明に従って、本発明は従来の映像監視システムが抱える問題を解決する。モニタ３２に表示されるユーザインタフェース３２１は、それ以上変更できないというものではない。従って、ユーザは、様々な適用環境に合わせ、様々にカスタマイズされたユーザインタフェース３２１をデザインすることができる。
【００１７】
以上、現在において最も実用的で好ましいと考えられる実施形態について本発明を説明してきたが、本発明は、開示された実施形態に限定されるものではなく、付記される請求項の最広義な解釈による趣旨及び範囲内における種々の変更及び同様の配置をも含むものであり、そのような変更及び同様の構造全てを包含する。
【図面の簡単な説明】
【００１８】
【図１】従来のデジタル映像記録監視システムを示す機能ブロック図。
【図２】従来のデジタル映像記録監視システムによって利用されるグラフィカルユーザインタフェースを示した概略図。
【図３】本発明の一実施形態による映像監視システムを示した機能ブロック図。
【図４】本発明によるユーザインタフェースエディタの動作ステップを例示したフローチャート。
【符号の説明】
【００１９】
３１  映像監視システム
３２  モニタ
３３  映像監視制御装置
３０１  映像ソース
３２１  ユーザインタフェース
３３０  映像監視制御プログラム
３３１  ユーザインタフェースエディタ
【図１】
2007104630.tif 000003
【図３】
2007104630.tif 000004
【図４】
2007104630.tif 000005
【図２】
2007104630.tif 000006